(57)【特許請求の範囲】
【請求項１】
第１の無線端末と、第２の無線端末と、接続仲介装置と、を備える無線通信システムであって、
前記第１の無線端末は、
第１方式の無線通信を介して通信する第１の無線通信手段と、
第２方式の無線通信を介して通信する第５の無線通信手段と、
自機の無線モードを設定する第２の設定手段と、を備え、
前記第５の無線通信手段は、前記第２方式の無線通信を介して前記接続仲介装置から送信された第１の無線モードでの設定情報を受信し、
前記第２の設定手段は、前記第５の無線通信手段によって受信された前記第１の無線モードでの設定情報に基づいて、自機を第１の無線モードに設定し、
前記接続仲介装置は、
前記第１の無線端末に対する前記接続仲介装置が前記第２方式の無線通信の通信エリア内にある場合に、前記第１方式の無線通信を介して前記第２の無線端末と前記第１の無線端末が接続するための接続情報を、前記第２方式の無線通信を介して前記第１の無線端末から取得し、第２の無線モードでの設定情報と前記取得された前記接続情報とを、前記第２方式の無線通信を介して前記第２の無線端末に送信する第３の無線通信手段と、を備え、
前記第２の無線端末は、
前記第２方式の無線通信を介して前記接続仲介装置から送信された前記第２の無線モードでの設定情報と前記接続情報を受信する第４の無線通信手段と、
前記第４の無線通信手段によって受信された前記第２の無線モードでの設定情報に基づいて、自機を第２の無線モードに設定する第１の設定手段と、
前記第４の無線通信手段によって受信された前記接続情報に基づいて、前記第１方式の無線通信を介した前記第１の無線端末との接続を確立する第２の無線通信手段と、を備える、
ことを特徴とする無線通信システム。
【請求項２】
前記接続仲介装置は、
前記第３の無線通信手段によって取得された前記接続情報において定められた接続方式が、前記第２の無線端末において対応可能な接続方式でない場合、前記第２の無線端末において対応可能な接続方式を、前記第２方式の無線通信を介して前記第２の無線端末から取得する接続方式取得手段と、
前記接続方式取得手段によって取得された前記対応可能な接続方式を、前記第２方式の無線通信を介して前記第１の無線端末に送信する接続方式送信手段と、をさらに備え、
前記第１の無線端末は、
前記第２方式の無線通信を介して前記接続仲介装置から送信された前記対応可能な接続方式を受信する接続方式受信手段と、
前記接続方式受信手段によって受信された前記対応可能な接続方式を定めた第２の接続情報を生成する接続情報生成手段と、をさらに備え、
前記接続仲介装置において、
前記第３の無線通信手段は、前記接続仲介装置と前記第１の無線端末が前記第２方式の無線通信の前記通信エリア内にある場合に、前記第２の接続情報を、前記第２方式の無線通信を介して前記第１の無線端末から取得し、
前記第３の無線通信手段は、前記接続仲介装置と前記第２の無線端末が前記第２方式の無線通信の前記通信エリア内にある場合に、前記第３の無線通信手段によって取得された前記第２の接続情報を、前記第２方式の無線通信を介して前記第２の無線端末に送信し、
前記第２の無線端末において、
前記第４の無線通信手段は、前記第２方式の無線通信を介して前記接続仲介装置から送信された前記第２の接続情報を受信し、
前記第２の無線通信手段は、前記第４の無線通信手段によって受信された前記第２の接続情報に基づいて、前記第１方式の無線通信を介した前記第１の無線端末との接続を確立する、
ことを特徴とする請求項１に記載の無線通信システム。
【請求項３】
前記第３の無線通信手段は、
前記接続仲介装置と前記第１の無線端末が第２方式の無線通信の通信エリア内にある場合に、第１の無線モードでの設定情報を、前記第２方式の無線通信を介して前記第１の無線端末に送信する、
ことを特徴とする請求項１又は２に記載の無線通信システム。
【請求項４】
前記第２の無線端末は、
前記第４の無線通信手段によって受信された前記接続情報において定められた接続方式が、前記第２の無線端末において対応可能な接続方式でない場合、前記第１方式の無線通信を介して前記第１の無線端末と前記第２の無線端末が接続するための第２の接続情報を生成する第２の接続情報生成手段をさらに備え、
前記接続仲介装置において、
前記第３の無線通信手段は、前記第２の接続情報生成手段によって生成された前記第２の接続情報を、前記第２方式の無線通信を介して前記第２の無線端末から取得し、
前記第３の無線通信手段は、前記第３の無線通信手段によって取得された前記第２の接続情報を、前記第２方式の無線通信を介して前記第１の無線端末に送信し、
前記第１の無線端末は、
前記第５の無線通信手段により、前記第２方式の無線通信を介して前記接続仲介装置から送信された前記第２の接続情報を受信し、
前記第１の無線通信手段は、前記第２の接続情報に基づいて、前記第１方式の無線通信を介した前記第２の無線端末との接続を確立する、
ことを特徴とする請求項３に記載の無線通信システム。
【請求項５】
前記接続仲介装置において、
前記第３の無線通信手段は、前記第２方式の無線通信を介して前記第１の無線端末から前記接続情報を取得する際に、前記第１の無線端末において対応可能な複数の接続方式を、前記第２方式の無線通信を介して前記第１の無線端末から取得し、
前記第２の無線端末において、
前記第２の接続情報生成手段は、前記第４の無線通信手段によって受信された前記接続情報において定められた接続方式が、前記第２の無線端末において対応可能な接続方式でない場合、前記複数の接続方式の中から選択された、前記第２の無線端末において対応可能な接続方式を定めた接続情報を、前記第２の接続情報として生成する、
ことを特徴とする請求項４に記載の無線通信システム。
【請求項６】
自装置と第１の無線端末が第２方式の無線通信の通信エリア内にある場合に、第１方式の無線通信を介して第２の無線端末と前記第１の無線端末が接続するための接続情報を、前記第２方式の無線通信を介して前記第１の無線端末から取得する第３の無線通信手段と、
自装置と前記第２の無線端末が前記第２方式の無線通信の前記通信エリア内にある場合に、第２の無線モードでの設定情報と前記第３の無線通信手段によって取得された前記接続情報とを、前記第２方式の無線通信を介して前記第２の無線端末に送信することにより、前記第２の無線端末に、前記第２の無線モードを設定させ、前記接続情報に基づいて前記第１方式の無線通信を介した前記第１の無線端末との接続を確立させる第３の無線通信手段と、
を備えることを特徴とする接続仲介装置。
【請求項７】
前記第３の無線通信手段は、自装置と前記第１の無線端末が第２方式の無線通信の通信エリア内にある場合に、第１の無線モードでの設定情報を、前記第２方式の無線通信を介して前記第１の無線端末に送信する、
ことを特徴とする請求項６に記載の接続仲介装置。
【請求項８】
前記第１方式の無線通信は、近距離型の無線通信であり、
前記第２方式の無線通信は、前記通信エリアが前記第１方式の無線通信の通信エリアよりも狭い、近接場型の無線通信である、
ことを特徴とする請求項１から５のいずれか１項に記載の無線通信システム。
【請求項９】
前記第１方式の無線通信は、無線ＬＡＮ（Local Area Network）による通信であり、
前記第１の無線モードは、前記無線ＬＡＮにおけるアクセスポイントモードとして機能し、
前記第２の無線モードは、前記無線ＬＡＮにおけるクライアントモードとして機能する、
ことを特徴とする請求項１から５のいずれか１項に記載の無線通信システム。
【請求項１０】
接続仲介装置と第１の無線端末が第２方式の無線通信の通信エリア内にある場合に、第１方式の無線通信を介して第２の無線端末と前記第１の無線端末が接続するための接続情報を、前記第２方式の無線通信を介して前記第１の無線端末から取得し、
前記接続仲介装置と前記第２の無線端末が前記第２方式の無線通信の前記通信エリア内にある場合に、第２の無線モードでの設定情報と取得した前記接続情報とを、前記第２方式の無線通信を介して前記第２の無線端末に送信することにより、前記第２の無線端末に、前記第２の無線モードを設定させ、前記接続情報に基づいて前記第１方式の無線通信を介した前記第１の無線端末との接続を確立させる、
ことを特徴とする接続仲介方法。
【請求項１１】
コンピュータに、
自装置と第１の無線端末が第２方式の無線通信の通信エリア内にある場合に、第１方式の無線通信を介して第２の無線端末と前記第１の無線端末が接続するための接続情報を、前記第２方式の無線通信を介して前記第１の無線端末から取得させ、
自装置と前記第２の無線端末が前記第２方式の無線通信の前記通信エリア内にある場合に、第２の無線モードでの設定情報と取得させた前記接続情報とを、前記第２方式の無線通信を介して前記第２の無線端末に送信させることにより、前記第２の無線端末に、前記第２の無線モードを設定させ、前記接続情報に基づいて前記第１方式の無線通信を介した前記第１の無線端末との接続を確立させる、
ことを特徴とするプログラム。
【発明の詳細な説明】
【技術分野】
【０００１】
本発明は、無線通信システム、接続仲介装置、接続仲介方法及びプログラムに関する。
【背景技術】
【０００２】
ＮＦＣ（Near Field Communication）等の近接場型の無線通信において、端末間で容量の多いデータを送受信する際に、端末間のペアリング及び認証だけをＮＦＣで行い、実際の通信をより高速で通信距離が長い無線通信である無線ＬＡＮやＢｌｕｅｔｏｏｔｈ（登録商標）等に引き継ぐ手法がある。このような手法は、ハンドオーバと呼ばれる。
【０００３】
例えば特許文献１は、ＮＦＣを用いたハンドオーバにより、２台の装置を近づけるだけでＷｉ−Ｆｉ（Wireless Fidelity）等の高速な通信路を確立する手法について開示している。
【先行技術文献】
【特許文献】
【０００４】
【特許文献１】特開２００９−２０７０６９号公報
【発明の概要】
【発明が解決しようとする課題】
【０００５】
しかしながら、従来のハンドオーバは、一方の端末が、メモリ領域（例えばアドレス）を指定してデータを読み書きできるＮＦＣ−Ｒ／Ｗ（リーダライタ）機能を備える必要あった。そのため、ＮＦＣ−ＴＡＧ（ＮＦＣタグ）機能のみを備える端末間では、ハンドオーバを利用できなかった。また、一方の端末にＮＦＣ−Ｒ／Ｗ機能が備わっていた場合でも、２つの端末を物理的に近づけることが難しい場合には、ハンドオーバを利用できなかった。更には、従来のハンドオーバは、３つ以上の端末間における無線通信の接続を確立することには向いていなかった。
【０００６】
本発明は、以上のような課題を解決するためのものであり、端末間の無線接続を容易に確立することが可能な無線通信システム、接続仲介装置、接続仲介方法及びプログラムを提供することを目的とする。
【課題を解決するための手段】
【０００７】
上記目的を達成するため、本発明に係る無線通信システムは、
第１の無線端末と、第２の無線端末と、接続仲介装置と、を備える無線通信システムであって、
前記第１の無線端末は、
第１方式の無線通信を介して通信する第１の無線通信手段と、
第２方式の無線通信を介して通信する第５の無線通信手段と、
自機の無線モードを設定する第２の設定手段と、を備え、
前記第５の無線通信手段は、前記第２方式の無線通信を介して前記接続仲介装置から送信された第１の無線モードでの設定情報を受信し、
前記第２の設定手段は、前記第５の無線通信手段によって受信された前記第１の無線モードでの設定情報に基づいて、自機を第１の無線モードに設定し、
前記接続仲介装置は、
前記第１の無線端末に対する前記接続仲介装置が前記第２方式の無線通信の通信エリア内にある場合に、前記第１方式の無線通信を介して前記第２の無線端末と前記第１の無線端末が接続するための接続情報を、前記第２方式の無線通信を介して前記第１の無線端末から取得し、第２の無線モードでの設定情報と前記取得された前記接続情報とを、前記第２方式の無線通信を介して前記第２の無線端末に送信する第３の無線通信手段と、を備え、
前記第２の無線端末は、
前記第２方式の無線通信を介して前記接続仲介装置から送信された前記第２の無線モードでの設定情報と前記接続情報を受信する第４の無線通信手段と、
前記第４の無線通信手段によって受信された前記第２の無線モードでの設定情報に基づいて、自機を第２の無線モードに設定する第１の設定手段と、
前記第４の無線通信手段によって受信された前記接続情報に基づいて、前記第１方式の無線通信を介した前記第１の無線端末との接続を確立する第２の無線通信手段と、を備える、
ことを特徴とする。
【発明の効果】
【０００８】
本発明によれば、端末間の無線接続を容易に確立することが可能な無線通信システム、接続仲介装置、接続仲介方法及びプログラムを提供することができる。
【図面の簡単な説明】
【０００９】
【図１】本発明の実施形態に係る無線通信システムの構成を示す図である。
【図２】無線端末の構成を示す図である。
【図３】接続仲介装置の構成を示す図である。
【図４】（ａ）は、無線通信システムにおいて無線接続が確立されていない状態を示す図である。（ｂ）は、接続仲介装置が第１の無線端末から接続情報を取得する様子を示す図である。
【図５】（ａ）は、接続仲介装置が第２の無線端末に接続情報を送信する様子を示す図である。（ｂ）は、第１の無線端末と第２の無線端末との間で無線接続が確立した状態を示す図である。
【図６】（ａ）は、接続仲介装置が第３の無線端末に接続情報を送信する様子を示す図である。（ｂ）は、第１の無線端末と第３の無線端末との間で無線接続が確立した状態を示す図である。
【図７】実施形態１に係る無線通信システムにおいて実行される接続確立処理の流れを示す第１のフローチャートである。
【図８】実施形態１に係る無線通信システムにおいて実行される接続確立処理の流れを示す第２のフローチャートである。
【図９】（ａ）、（ｂ）及び（ｃ）は、各無線端末において対応可能な接続方式の例を示す図である。
【図１０】（ａ）、（ｂ）共に、実施形態２において無線接続を確立する様子を示す図である。
【図１１】（ａ）、（ｂ）共に、実施形態２において無線接続を確立する様子を示す図である。
【図１２】（ａ）、（ｂ）共に、実施形態３において無線接続を確立する様子を示す図である。
【図１３】実施形態３において無線接続を確立する様子を示す図である。
【図１４】実施形態４において無線接続を確立する様子を示す図である。
【発明を実施するための形態】
【００１０】
以下、本発明の実施形態について、図面を参照して説明する。なお、図中同一又は相当する部分には同一符号を付す。
【００１１】
（実施形態１）
実施形態１に係る無線通信システムは、図１に示すように構成される。無線通信システム１は、第１の無線端末１００ａと、第２の無線端末１００ｂと、第３の無線端末１００ｃと、接続仲介装置２００と、を備える。
【００１２】
無線通信システム１において、第１の無線端末１００ａと第２の無線端末１００ｂと第３の無線端末１００ｃとは、第１方式の無線通信を介して、互いに通信する。これら３つの無線端末１００ａ，１００ｂ，１００ｃは、具体的には同一の施設内に設置された３台の印刷装置である。３つの無線端末１００ａ，１００ｂ，１００ｃは、第１方式の無線通信として、例えばＷｉ−Ｆｉ（Wireless Fidelity）等の無線ＬＡＮ（Local Area Network）による近距離型の無線通信を介して、各種データを送受信する。
【００１３】
接続仲介装置２００は、例えばスマートフォン等のような携帯型の端末装置である。接続仲介装置２００は、第２方式の無線通信を介して、３つの無線端末１００ａ，１００ｂ，１００ｃのそれぞれと通信する。接続仲介装置２００は、第２方式の無線通信として、具体的にはＮＦＣ（Near Field Communication）による近接場型の無線通信（非接触型の無線通信）を介して、３つの無線端末１００ａ，１００ｂ，１００ｃのそれぞれと通信する。そして、接続仲介装置２００は、詳細は後述するように、第１方式の無線通信によって接続されていない状態にある３つの無線端末１００ａ，１００ｂ，１００ｃ間における、第１方式の無線通信の確立を仲介する。
【００１４】
なお、第１の無線端末１００ａと第２の無線端末１００ｂと第３の無線端末１００ｃとは、互いに同等の構成及び機能を有する。そのため、以下では、３つの無線端末１００ａ，１００ｂ，１００ｃのそれぞれを特に区別せず称する場合には、無線端末１００と称する。
【００１５】
無線端末１００（すなわち、３つの無線端末１００ａ，１００ｂ，１００ｃのそれぞれ）は、図２に示すように構成される。無線端末１００は、ＣＰＵ（Central Processing Unit）１１０と、メモリ１１１と、ＮＦＣ通信部１２１と、ＮＦＣアンテナ１２２と、無線制御部１３０と、無線通信部１３１と、無線アンテナ１３２と、を備える。また、無線端末１００は、印刷制御部１５０と印刷部１５１とを備え、印刷データに従ったパターンを印刷媒体に印刷する印刷装置として機能する。
【００１６】
ＣＰＵ１１０は、命令やデータを転送するための伝送経路であるシステムバスを介して無線端末１００の各部と接続され、無線端末１００全体を制御する。
【００１７】
メモリ１１１は、例えばＣＰＵ１１０のワークメモリとして機能するＲＡＭ（Random Access Memory）、及びＲＯＭ（Read Only Memory）やフラッシュメモリ等のような不揮発性メモリを含む。メモリ１１１は、ＣＰＵ１１０が各種処理を行うために使用する各種プログラム及びデータ、ＣＰＵ１１０が各種処理を行うことにより生成又は取得する各種データを記憶する。
【００１８】
また、無線端末１００は、図示しないが、ユーザからの操作入力を受け付ける入力部と、各種画像を表示する表示部と、を備える。ＣＰＵ１１０は、入力部を介して入力された各種データをメモリ１１１に保存し、メモリ１１１に保存された各種データを、表示部を介して外部に表示出力する。
【００１９】
ＮＦＣ通信部１２１は、ＮＦＣアンテナ１２２を介して、接続仲介装置２００とＮＦＣ通信する。ＮＦＣは、通信エリアが無線ＬＡＮ等の通信エリアよりも狭い、近接場型の無線通信である。ＮＦＣの通信エリアは、数センチから数十センチ程度の極短距離の範囲に限られる。
【００２０】
具体的に説明すると、ＮＦＣ通信部１２１は、ＮＦＣ−Ｒ／Ｗ（リーダ／ライタ）機能を有する接続仲介装置２００によって読み込まれるＮＦＣ−ＴＡＧ（ＮＦＣタグ）を備える。ＮＦＣタグは、リーダ／ライタによってデータが読み書きされるＩＣ（Integrated Circuit）チップを内蔵したタグである。このＩＣチップは、リーダ／ライタとの間に生じる磁界によって誘導電流が流れるコイルを搭載し、コイルに流れる誘導電流によって、データが更新される。例えば、リーダ／ライタ機能を有する接続仲介装置２００が、ＮＦＣの通信エリアである至近距離まで無線端末１００に近接すると、ＮＦＣタグに記憶されているデータが読み書きされる。
【００２１】
なお、３つの無線端末１００ａ，１００ｂ，１００ｃは、接続仲介装置２００とは異なり、ＮＦＣ通信部１２１においてＮＦＣ−Ｒ／Ｗ機能を備えない。そのため、他の無線端末１００のＮＦＣタグに対して、ＮＦＣ通信を介してデータを読み書きすることはできない。
【００２２】
無線通信部１３１は、無線アンテナ１３２を介して、他の無線端末１００と無線通信する。具体的に説明すると、無線通信部１３１は、無線ＬＡＮによる近距離型の無線通信を介して、他の無線端末１００と通信する。無線制御部１３０は、ＣＰＵ１１０の制御のもと、このような無線通信部１３１における無線通信を制御する。第１の無線端末１００ａの無線通信部１３１は、第１の無線通信手段として機能し、第２の無線端末１００ｂの無線通信部１３１は、第２の無線通信手段として機能し、第３の無線端末１００ｃの無線通信部１３１は、第１の無線通信手段として機能する。
【００２３】
より詳細に説明すると、無線通信部１３１は、ＣＰＵ１１０から供給された送信データに対してシリアル／パラレル変換等の処理を実行して、送信データを無線アンテナ１３２から通信先となる他の無線端末１００に送信する。また、無線通信部１３１は、他の無線端末１００から送信されたデータを、無線アンテナ１３２を介して受信すると、受信データに対してシリアル／パラレル変換等の処理を実行して、受信データをＣＰＵ１１０に供給する。
【００２４】
３つの無線端末１００ａ，１００ｂ，１００ｃのそれぞれは、いずれも、ＡＰ（アクセスポイント）モードとクライアントモードとのどちらのモードでも、無線ＬＡＮで通信できる。ＡＰモードの無線端末１００は、各無線端末１００間の無線通信を中継したり、有線ネットワークや他の接続機器に接続したりする役割を担う。
【００２５】
各無線端末１００には、別の種類の無線通信との混信を避けるため、共通のＳＳＩＤ（Service Set Identifier）が設定される。ＳＳＩＤは、無線ＬＡＮにおけるＡＰの識別子である。各無線端末１００は、ＳＳＩＤが一致する端末とだけ通信し、且つ、ＡＰモードの無線端末１００は、自機と同じＳＳＩＤが設定された無線端末１００同士の通信だけしか中継しない。
【００２６】
印刷部１５１は、例えば無線通信部１３１を介して受信した印刷データに従って、印刷処理を実行する印刷機構である。具体的に説明すると、印刷部１５１は、トナー画像を形成する画像形成部、搬送ローラ等によって印刷媒体を搬送する搬送部、印刷媒体にトナー画像を熱定着させる定着装置等を備える。印刷制御部１５０は、ＣＰＵ１１０の制御のもと、このような印刷部１５１を制御する。
【００２７】
以上のように、３つの無線端末１００ａ，１００ｂ，１００ｃは、いずれもＮＦＣタグを備えた端末であって、ＮＦＣのリーダ／ライタ機能を備えた端末ではない。しかしながら、ＮＦＣによるハンドオーバは、端末間のＰ２Ｐ（Peer to Peer）通信、すなわち複数の端末を直接接続してデータを送受信する方式の通信を利用するため、ハンドオーバを実行するためには、いずれかの端末がリーダ／ライタ機能を備えている必要がある。そのため、３つの無線端末１００ａ，１００ｂ，１００ｃ同士では、無線ＬＡＮのハンドオーバも実行することができない。そこで、無線通信システム１では、接続仲介装置２００が、３つの無線端末１００ａ，１００ｂ，１００ｃ間におけるハンドオーバ、すなわち無線ＬＡＮによる接続の確立を仲介する。
【００２８】
接続仲介装置２００は、図３に示すように構成される。接続仲介装置２００は、ＣＰＵ２１０と、メモリ２１１と、入力部２１２と、表示部２１３と、ＮＦＣ通信部２２１と、ＮＦＣアンテナ２２２と、接続情報取得部２２５と、接続情報送信部２２６と、を備える。
【００２９】
ＣＰＵ２１０は、命令やデータを転送するための伝送経路であるシステムバスを介して接続仲介装置２００の各部と接続され、接続仲介装置２００全体を制御する。
【００３０】
メモリ２１１は、例えばＣＰＵ２１０のワークメモリとして機能するＲＡＭ、及びＲＯＭやフラッシュメモリ等のような不揮発性メモリを含む。メモリ２１１は、ＣＰＵ２１０が各種処理を行うために使用する各種プログラム及びデータ、ＣＰＵ２１０が各種処理を行うことにより生成又は取得する各種データを記憶する。
【００３１】
入力部２１２は、例えば各種のボタンやタッチパネル等のような入力手段を備える。入力部２１２は、ユーザから入力された各種の操作指示を受け付け、受け付けた操作指示をＣＰＵ２１０に送信する。
【００３２】
表示部２１３は、例えば液晶ディスプレイ等のような表示手段を備える。表示部２１３は、例えば無線端末１００との間でのＮＦＣ通信の状態等、各種の情報をＣＰＵ２１０から取得して、取得した情報を示す画像を表示する。
【００３３】
ＮＦＣ通信部２２１は、ＮＦＣアンテナ２２２を介して、無線端末１００とＮＦＣ通信する。具体的に説明すると、ＮＦＣ通信部２２１は、ＮＦＣタグに対してデータを読み書き可能なリーダ／ライタ機能を備える。具体的に説明すると、ＮＦＣ通信部２２１は、接続仲介装置２００の周りに磁界を発生させ、ＮＦＣの通信エリアに近接したＮＦＣタグに内蔵されたＩＣチップに誘導電流を発生させる。これにより、ＮＦＣタグにデータを読み書きすることができる。例えば、ユーザが接続仲介装置２００を無線端末１００に近づけて「かざす」だけで、無線端末１００のＮＦＣタグに記憶されたデータを取得したり、ＮＦＣタグに新たにデータを書き込んだりすることができる。
【００３４】
接続情報取得部２２５は、ＣＰＵ２１０による制御のもと、第１方式の無線通信である無線ＬＡＮを介して３つの無線端末１００ａ，１００ｂ，１００ｃが互いに接続するための接続情報を、第２方式の無線通信であるＮＦＣ通信を介して、３つの無線端末１００ａ，１００ｂ，１００ｃのうちＡＰとして機能すべき無線端末１００から取得する。接続情報取得部２２５は、接続情報取得手段として機能する。
【００３５】
接続情報とは、ＡＰとして機能すべき無線端末１００に、クライアントとして機能すべき他の無線端末１００が、無線ＬＡＮを介して接続するために必要な情報を定めたプロファイルである。具体的には、接続情報は、無線ＬＡＮにおける無線モード（ＡＰモード又はクライアントモード）、ＡＰの識別子であるＳＳＩＤ、無線ＬＡＮで使用されるセキュリティ方式、及び暗号キー等の情報である。
【００３６】
例えば図４（ａ）に示すように、３つの無線端末１００ａ，１００ｂ，１００ｃの間における無線ＬＡＮによる通信ネットワークが構築されていない状態において、第１の無線端末１００ａをＡＰに指定する場合、ユーザは、図４（ｂ）に示すように、接続仲介装置２００を、第１の無線端末１００ａとＮＦＣ通信可能なエリア内まで、第１の無線端末１００ａに近づける。このように接続仲介装置２００が第１の無線端末１００ａに対してＮＦＣの通信エリア内まで近接した際に、接続情報取得部２２５は、ＮＦＣ通信部２２１によるＮＦＣ通信を介して、第１の無線端末１００ａから接続情報を取得する。
【００３７】
接続情報送信部２２６は、ＣＰＵ２１０による制御のもと、接続情報取得部２２５によって取得された接続情報を、第２方式の無線通信であるＮＦＣ通信を介して、３つの無線端末１００ａ，１００ｂ，１００ｃのうちクライアントとして機能すべき無線端末１００に送信する。これにより、接続情報送信部２２６は、３つの無線端末１００ａ，１００ｂ，１００ｃを、第１方式の無線通信である無線ＬＡＮを介して通信させる。接続情報送信部２２６は、接続情報送信手段として機能する。
【００３８】
例えば第１の無線端末１００ａをＡＰに指定し、且つ第２の無線端末１００ｂをクライアントに指定する場合、ユーザは、図５（ａ）に示すように、接続仲介装置２００を、第２の無線端末１００ｂとＮＦＣ通信可能なエリア内まで、第２の無線端末１００ｂに近づける。接続仲介装置２００が第２の無線端末１００ｂに近接すると、接続情報送信部２２６は、ＮＦＣ通信部２２１によるＮＦＣ通信を介して、第２の無線端末１００ｂに、第１の無線端末１００ａから取得した接続情報を送信する。
【００３９】
第２の無線端末１００ｂは、接続情報送信部２２６によって送信された接続情報を受信する。第２の無線端末１００ｂにおいて、ＮＦＣ通信部１２１は、ＣＰＵ１１０による制御のもと、第２方式の無線通信であるＮＦＣ通信を介して接続仲介装置２００から送信された接続情報を受信する接続情報受信手段として機能する。
【００４０】
第２の無線端末１００ｂにおいて接続情報を受信すると、無線制御部１３０は、第２の無線通信手段として機能し、受信された接続情報に基づいて、第１方式の無線通信である無線ＬＡＮを介した第１の無線端末１００ａとの接続を確立して、無線ＬＡＮを介して第１の無線端末１００ａと通信する。具体的に説明すると、無線制御部１３０は、受信した接続情報に含まれる無線モードに従って自機をクライアントモードに設定し、且つ、ＳＳＩＤによりＡＰとしての第１の無線端末１００ａを識別する。そして、無線制御部１３０は、同じく接続情報として取得したセキュリティ方式及び暗号キーに基づいて、第１の無線端末１００ａとの間でペアリング（相互認証）を行い、無線ＬＡＮによる無線接続を確立する。その結果、図５（ｂ）に示すように、第１の無線端末１００ａ及び第２の無線端末１００ｂがそれぞれＡＰ及びクライアントとして機能する無線ＬＡＮによる通信ネットワークが構築される。
【００４１】
第２の無線端末１００ｂに加え、第３の無線端末１００ｃをクライアントに指定する場合、接続情報送信部２２６は、第２の無線端末１００ｂと同様、第３の無線端末１００ｃにも接続情報を送信する。すなわち、ユーザは、図６（ａ）に示すように、接続仲介装置２００を、第３の無線端末１００ｃとＮＦＣ通信可能なエリア内まで、第３の無線端末１００ｃに近づける。このように接続仲介装置２００が第３の無線端末１００ｃに対してＮＦＣの通信エリア内まで近接した際に、接続情報送信部２２６は、ＮＦＣ通信部２２１によるＮＦＣ通信を介して、第３の無線端末１００ｃに、第１の無線端末１００ａから取得した接続情報を送信する。
【００４２】
第３の無線端末１００ｃにおいて、ＮＦＣ通信部１２１は、ＮＦＣ通信を介して接続仲介装置２００から送信された接続情報を受信する。接続情報を受信すると、無線制御部１３０は、受信した接続情報のうちの無線モードに従って自機をクライアントモードに設定し、且つ、ＳＳＩＤによりＡＰとしての第１の無線端末１００ａを識別する。そして、無線制御部１３０は、同じく接続情報として取得したセキュリティ方式及び暗号キーに基づいて、第１の無線端末１００ａとの間でペアリング（相互認証）を行い、無線ＬＡＮによる無線接続を確立する。その結果、図６（ｂ）に示すように、第１の無線端末１００ａがＡＰとして機能し、第２の無線端末１００ｂ及び第３の無線端末１００ｃがクライアントとして機能する無線ＬＡＮによる通信ネットワークが構築される。
【００４３】
以上のような無線通信システム１において実行される接続確立処理の流れについて、図７及び図８に示すフローチャートを参照して、説明する。なお、以下では、理解を容易にするため、上述した図４〜図６と同様、第１の無線端末１００ａがＡＰとして機能し、第２の無線端末１００ｂ及び第３の無線端末１００ｃがクライアントとして機能する場合を例にとって、説明する。
【００４４】
図７のフローチャートに示す接続確立処理の開始前、無線通信システム１は、図４（ａ）に示したように、３つの無線端末１００ａ，１００ｂ，１００ｃの間における無線ＬＡＮによる通信ネットワークが構築されていない状態にある。このような状態において、例えばユーザが入力部２１２を介して３つの無線端末１００ａ，１００ｂ，１００ｃの間における無線ＬＡＮのハンドオーバを実行するための予め定められたアプリケーションを起動させると（ステップＳ１１）、図７のフローチャートに示す接続確立処理は開始する。
【００４５】
接続仲介装置２００においてアプリケーションが起動すると、ＣＰＵ２１０は、ＡＰ（親機）に指定すべき端末への近接を指示する（ステップＳ１２）。例えばＣＰＵ２１０は、「ＡＰにすべき端末に近づけて下さい。」等の指示メッセージを表示部２１３に表示する。第１の無線端末１００ａをＡＰに指定する場合、この指示メッセージを確認したユーザは、接続仲介装置２００を、第１の無線端末１００ａのＮＦＣアンテナ１２２に近づける。
【００４６】
ＡＰにすべき端末への近接を指示すると、ＣＰＵ２１０は、端末の近接を検出したか否かを判定する（ステップＳ１３）。すなわち、ＣＰＵ２１０は、ＮＦＣ通信部２２１のリーダ／ライタ機能によって接続仲介装置２００の周りに磁界を発生させ、接続仲介装置２００の状態を、ＮＦＣタグを検出可能な状態に移行させる。そして、ＮＦＣタグが搭載されたいずれかの無線端末１００がＮＦＣの通信エリアである至近距離まで近接することによる、ＮＦＣタグの検出を待ち受ける。
【００４７】
端末の近接を検出しない場合（ステップＳ１３；ＮＯ）、処理はステップＳ１３に留まり、ＣＰＵ２１０は、端末の近接を検出するまで待機する。
【００４８】
一方で、ユーザによって接続仲介装置２００が第１の無線端末１００ａのＮＦＣアンテナ１２２に近づけられると、ＣＰＵ２１０は、第１の無線端末１００ａの近接を検出する（ステップＳ１３；ＹＥＳ）。この場合、ＣＰＵ２１０は、この検出をトリガとして、近接を検出した第１の無線端末１００ａに、ＮＦＣ通信を介してＡＰ（アクセスポイント）起動指示を送信する（ステップＳ１４）。これにより、接続仲介装置２００は、第１の無線端末１００ａに、無線ＬＡＮのＡＰモードで起動するよう指示する。
【００４９】
接続仲介装置２００が第１の無線端末１００ａにＡＰ起動指示を送信すると、第１の無線端末１００ａでは、ＣＰＵ１１０が、ＮＦＣ通信を介してＡＰ起動指示を受信する（ステップＳ１５）。すなわち、接続仲介装置２００のＮＦＣリーダ／ライタ機能によって、第１の無線端末１００ａのＮＦＣタグに、無線ＬＡＮのＡＰモードで起動すべき指示が書き込まれる。
【００５０】
第１の無線端末１００ａにおいて、ＡＰ起動指示を受信すると、ＣＰＵ１１０は、受信したＡＰ起動指示に従って、無線ＬＡＮを介して第１の無線端末１００ａに他の無線端末１００が接続するための接続情報を生成する（ステップＳ１６）。すなわち、ＣＰＵ１１０は、接続情報として、自機がＡＰであることを示す無線モード、そのＡＰを識別するためのＳＳＩＤ、無線ＬＡＮで使用されるセキュリティ方式、及び暗号キー等の情報を定めたプロファイルを生成する。ＣＰＵ１１０は、生成した接続情報を、自機に搭載されたＮＦＣタグに書き込む。
【００５１】
第１の無線端末１００ａにおいて接続情報が生成されると、接続仲介装置２００では、接続情報取得部２２５が、ＮＦＣ通信を介して生成された接続情報を取得する（ステップＳ１７）。そして、ＣＰＵ２１０は、取得した接続情報をメモリ２１１に保存する（ステップＳ１８）。具体的に説明すると、図４（ｂ）に示したように接続仲介装置２００が第１の無線端末１００ａに近接した際、接続情報取得部２２５は、第１の無線端末１００ａのＮＦＣタグに書き込まれた接続情報をＮＦＣリーダ／ライタの機能によって読み込むことにより、接続情報を取得する。
【００５２】
第１の無線端末１００ａでは、接続仲介装置２００によって接続情報が取得されると、無線制御部１３０は、自機の無線モードをＡＰに設定する（ステップＳ１９）。そして、無線制御部１３０は、クライアントからの接続要求を待ち受ける（ステップＳ２０）。以上で、図７に示したフローチャートの説明は終了し、図８に示すフローチャートの説明に移る。
【００５３】
図８のフローチャートにおいて、接続仲介装置２００のＣＰＵ２１０は、接続情報を取得すると、クライアント（子機）にすべき端末への近接を指示する（ステップＳ２１）。例えばＣＰＵ２１０は、「クライアントにすべき端末に近づけて下さい。」等の指示メッセージを表示部２１３に表示する。第２の無線端末１００ｂをクライアントに指定する場合、この指示メッセージを確認したユーザは、接続仲介装置２００を、第２の無線端末１００ｂのＮＦＣアンテナ１２２に近づける。
【００５４】
クライアントにすべき端末への近接を指示すると、ＣＰＵ２１０は、端末の近接を検出したか否かを判定する（ステップＳ２２）。すなわち、ＣＰＵ２１０は、ＮＦＣ通信部２２１のリーダ／ライタ機能によって接続仲介装置２００の周りに磁界を発生させ、接続仲介装置２００の状態を、ＮＦＣタグを検出可能な状態に移行させる。そして、ＮＦＣタグが搭載されたいずれかの無線端末１００がＮＦＣの通信エリアである至近距離まで近接することによる、ＮＦＣタグの検出を待ち受ける。
【００５５】
端末の近接を検出しない場合（ステップＳ２２；ＮＯ）、処理はステップＳ２２に留まり、ＣＰＵ２１０は、端末の近接を検出するまで待機する。
【００５６】
一方で、図５（ａ）に示したように、ユーザによって接続仲介装置２００が第２の無線端末１００ｂのＮＦＣアンテナ１２２に近づけられると、ＣＰＵ２１０は、第２の無線端末１００ｂの近接を検出する（ステップＳ２２；ＹＥＳ）。この場合、ＣＰＵ２１０は、この検出をトリガとして、近接を検出した第２の無線端末１００ｂに、ＮＦＣ通信を介して、接続情報及びクライアント起動指示を送信する（ステップＳ２３）。これにより、接続仲介装置２００は、第１の無線端末１００ａから取得した接続情報を第２の無線端末１００ｂに送信すると共に、第２の無線端末１００ｂに、無線ＬＡＮのクライアントモードで起動するよう指示する。
【００５７】
接続仲介装置２００が第２の無線端末１００ｂに接続情報及びクライアント起動指示を送信すると、第２の無線端末１００ｂでは、ＣＰＵ１１０が、ＮＦＣ通信を介して接続情報及びクライアント起動指示を受信する（ステップＳ２４）。すなわち、接続仲介装置２００のＮＦＣリーダ／ライタ機能によって、第２の無線端末１００ｂのＮＦＣタグに、無線ＬＡＮのクライアントモードで起動すべき指示が書き込まれる。
【００５８】
第２の無線端末１００ｂにおいて、接続情報及びクライアント起動指示を受信すると、ＣＰＵ１１０は、受信した接続情報をメモリ１１１に展開する（ステップＳ２５）。接続情報をメモリ１１１に展開した結果、第２の無線端末１００ｂは、第１の無線端末１００ａがＡＰであって、そのＡＰのＳＳＩＤ、無線ＬＡＮで使用されるセキュリティ方式及び暗号キー等の情報を取得することができる。
【００５９】
接続情報をメモリ１１１に展開すると、無線制御部１３０は、受信したクライアント起動指示に従って、自機の無線モードをクライアントに設定する（ステップＳ２６）。そして、無線制御部１３０は、取得したセキュリティ方式及び暗号キーに基づいて、ＳＳＩＤによって識別したＡＰである第１の無線端末１００ａに向けて、無線ＬＡＮを介して、無線ＬＡＮの接続要求を送信する（ステップＳ２７）。これにより、第１の無線端末１００ａとの間でペアリング（相互認証）を行う。
【００６０】
第１の無線端末１００ａでは、ＣＰＵ１１０が、第２の無線端末１００ｂから送信された無線ＬＡＮの接続要求を受信する（ステップＳ２８）。ＣＰＵ１１０は、受信した無線ＬＡＮの接続要求が適切な要求である場合、無線ＬＡＮの接続要求に対する応答として、要求元である第２の無線端末１００ｂに、無線ＬＡＮを介してＡＣＫ（アクナレッジメント）を送信する（ステップＳ２９）。
【００６１】
第２の無線端末１００ｂにおいて、第１の無線端末１００ａから送信されたＡＣＫが正常に受信されると（ステップＳ３０）、図５（ｂ）に示したように、第１の無線端末１００ａと第２の無線端末１００ｂとの間において、無線ＬＡＮによる接続が確立する。以上により、図８のフローチャートに示した接続確立処理は終了する。
【００６２】
第２の無線端末１００ｂに加え、第３の無線端末１００ｃをクライアントに指定する場合、接続仲介装置２００は、図６（ａ）に示したように、第３の無線端末１００ｃに対しても、接続情報及びクライアント起動指示を送信する。すなわち、第２の無線端末１００ｂに対して実行した処理と同じ処理を、第３の無線端末１００ｃに対しても実行する。その結果、図６（ｂ）に示したように、第１の無線端末１００ａがＡＰとして機能し、第２の無線端末１００ｂ及び第３の無線端末１００ｃがクライアントとして機能する無線ＬＡＮによる通信ネットワークが構築される。第３の無線端末１００ｃの無線ＬＡＮによる接続を確立する処理は、図８に示したフローチャートにおいて、第２の無線端末１００ｂを第３の無線端末１００ｃに入れ替えた処理に相当する。そのため、フローチャートを参照した説明については省略する。なお、無線ＬＡＮを介した３つの無線端末１００同士の接続を確立した後は、例えば、無線端末１００ａのメモリ１１１に保存されたデータ（多量の画像データやファームウェア・プログラムなど）を、無線ＬＡＮを介して、他の無線端末１００ｂ、１００ｃのメモリ１１１にコピーするといったことが可能になる。
【００６３】
以上説明したように、実施形態１に係る無線通信システム１では、ＮＦＣリーダ／ライタ機能を有する接続仲介装置２００が、無線ＬＡＮにおけるＡＰとして機能する無線端末１００から、無線ＬＡＮでの接続に必要な情報を定めた接続情報を取得し、クライアントとして機能する無線端末１００に、取得した接続情報を送信する。これにより、接続仲介装置２００が、３つの無線端末１００ａ，１００ｂ，１００ｃが無線ＬＡＮで互いに通信するためのハンドオーバを仲介する。
【００６４】
その結果、ＮＦＣタグのみを備える端末同士、すなわちＮＦＣ通信によって情報を読み書きする機能を備えない端末同士でも、容易に無線ＬＡＮによる通信ネットワークを構築することができる。また、クライアントとして機能する無線端末１００が複数あったとしても、この複数の無線端末１００のそれぞれに接続仲介装置２００を近接させるだけでハンドオーバ可能なため、３つ以上の無線端末１００間におけるハンドオーバであっても、容易に実行することができる。
【００６５】
（実施形態２）
次に、本発明の実施形態２について説明する。
【００６６】
上記実施形態１は、ＡＰとして機能する無線端末１００から接続情報として取得した各種設定に、クライアントとして機能する無線端末１００が対応可能であることを前提として説明した。しかしながら、複数の無線端末１００間で対応可能な無線規格やセキュリティ方式等の無線通信の仕様（接続方式）が異なる場合、ＡＰとして機能する無線端末１００から接続情報として取得した設定に、クライアントとして機能する無線端末１００が対応できない場合がある。例えばＡＰとして機能する無線端末１００から接続情報の１つとして取得したセキュリティ方式に、クライアントとして機能する無線端末１００が対応していない場合、無線接続を確立することができない。そこで、実施形態２に係る無線通信システム１は、複数の無線端末１００間で無線通信の接続方式が異なる場合でも、無線接続を確立できるように処理する。以下、説明する。
【００６７】
図９（ａ）〜（ｃ）に、３つの無線端末１００ａ，１００ｂ，１００ｃのそれぞれにおいて対応可能な接続方式の例を示す。ここで、接続方式とは、無線規格及びセキュリティ方式等のような、複数の無線端末１００が互いに接続する上で定められた取り決めを意味する。
【００６８】
例えば図９（ａ）に示すように、第１の無線端末１００ａは、無線ＬＡＮの規格として、８０２．１１ａ、８０２．１１ｇ、及び８０２．１１ｎの３つの規格に対応し、セキュリティ方式として、ＯＰＥＮ、ＷＥＰ（Wired Equivalent Privacy）、ＷＰＡ（Wi-Fi Protected Access）、及びＷＰＡ２の４つのセキュリティ方式に対応している。すなわち、第１の無線端末１００ａは、３つの無線規格のうちのどの無線規格でも、通信先の無線端末１００と無線通信することができ、更には４つのセキュリティ方式のうちのどのセキュリティ方式を用いても、通信先の無線端末１００と無線通信することができる。
【００６９】
第１の無線端末１００ａは、接続情報として、無線モード及びＳＳＩＤと共に、３つの無線規格のうちから選択したいずれか１つの無線規格、４つのセキュリティ方式のうちから選択したいずれか１つのセキュリティ方式、及び選択したセキュリティ方式の暗号キーを定めた情報を生成する。暗号キーは、セキュリティ方式がＯＰＥＮの場合は無く、セキュリティ方式がＷＥＰの場合は例えば“１２３４５ｗｅｐ”、セキュリティ方式がＷＰＡの場合は例えば“１２３４５ｗｐａ”、及びセキュリティ方式がＷＰＡ２の場合は例えば“１２３４ｗｐａ２”のように設定される。生成された接続情報は、接続仲介装置２００によって、第２の無線端末１００ｂ及び第３の無線端末１００ｃに送信される。
【００７０】
第２の無線端末１００ｂにおいて、図９（ｂ）に示すように、第１の無線端末１００ａと同じく３つの無線規格及び４つのセキュリティ方式に対応可能な場合、第１の無線端末１００ａと第２の無線端末１００ｂとの間では、接続方式の不一致は生じない。そのため、第２の無線端末１００ｂは、接続仲介装置２００を介して受信した接続情報に基づいて、問題なく第１の無線端末１００ａとの間での無線ＬＡＮの接続を確立することができる。
【００７１】
一方で、第３の無線端末１００ｃにおいて、図９（ｃ）に示すように、第１の無線端末１００ａと同じく３つの無線規格に対応可能であるが、第１の無線端末１００ａにおいて対応可能であった４つのセキュリティ方式のうち２つのセキュリティ方式（ＯＰＥＮ及びＷＰＡ）にしか対応可能でない場合、第１の無線端末１００ａと第３の無線端末１００ｃとの間で、接続方式の不一致が生じる。例えばセキュリティ方式としてＷＰＡ２を指定した接続情報が第１の無線端末１００ａから送信された場合、その接続情報を受信した第３の無線端末１００ｃは、第１の無線端末１００ａとの間で無線ＬＡＮの接続を確立することができない。
【００７２】
その結果、例えば図１０（ａ）に示すように、第１の無線端末１００ａ（ＡＰ）と第２の無線端末１００ｂ（クライアント）との間では無線ＬＡＮの接続が確立されるが、第３の無線端末１００ｃは、接続方式が不一致のため、他の無線端末１００との間で無線ＬＡＮによる接続を確立できないという状況が生じる。このように、接続情報取得部２２５によって取得された接続情報において定められた接続方式が、第３の無線端末１００ｃにおいて対応可能な接続方式でない場合、接続仲介装置２００は、第３の無線端末１００ｃにおいて対応可能な接続方式を、ＮＦＣ通信を介して、第３の無線端末１００ｃから取得する。このとき、接続仲介装置２００のＮＦＣ通信部２２１は、ＣＰＵ２１０による制御のもと、第３の無線端末１００ｃにおいて対応可能な接続方式を取得する接続方式取得手段として機能する。
【００７３】
例えば図１０（ａ）に示すように、接続仲介装置２００は、第３の無線端末１００ｃに接続情報を送信するため、第３の無線端末１００ｃに対してＮＦＣの通信エリア内まで近接した際に、接続情報に定められる接続方式が、第３の無線端末１００ｃにおいて対応可能な接続方式であるか否かを判定する。判定の結果、接続情報に定められる接続方式が、第３の無線端末１００ｃにおいて対応可能な接続方式でない場合、接続仲介装置２００は、図１０（ｂ）に示すように、第３の無線端末１００ｃにおいて対応可能な接続方式を、ＮＦＣ通信を介して、第３の無線端末１００ｃから取得する。
【００７４】
接続方式を取得すると、接続仲介装置２００は、取得した接続方式を、ＮＦＣ通信を介して、ＡＰとして機能する第１の無線端末１００ａに送信する。このとき、接続仲介装置２００のＮＦＣ通信部２２１は、ＣＰＵ２１０による制御のもと、第３の無線端末１００ｃから取得した接続方式を第１の無線端末１００ａに送信する接続方式送信手段として機能する。
【００７５】
具体的に説明すると、接続仲介装置２００は、「第３の無線端末１００ｃの接続を確立できないため、第１の無線端末１００ａに再度接仲介装置２００を近づけて下さい。」等のメッセージを表示部２１３に表示することにより、ＡＰとして機能する第１の無線端末１００ａに再度接続仲介装置２００を近接させるよう、ユーザに指示する。この指示を受けたユーザが、接続仲介装置２００を、第１の無線端末１００ａに対してＮＦＣの通信エリア内まで近接させると、接続仲介装置２００は、図１０（ｂ）に示すように、第３の無線端末１００ｃから取得した接続情報を第１の無線端末１００ａに送信する。
【００７６】
第１の無線端末１００ａは、接続仲介装置２００から送信された、第３の無線端末１００ｃにおいて対応可能な接続方式を、ＮＦＣ通信を介して受信する。このとき、第１の無線端末１００ａのＮＦＣ通信部１２１は、ＣＰＵ１１０による制御のもと、接続仲介装置２００から送信された接続方式を受信する接続方式受信手段として機能する。接続方式を受信すると、第１の無線端末１００ａは、受信した接続方式を含む、第２の無線端末１００ｂ及び第３の無線端末１００ｃが無線ＬＡＮを介して第１の無線端末１００ａに接続するため情報を定めた第２の接続情報を、新たに生成する。このとき、第１の無線端末１００ａの無線制御部１３０は、第２の接続情報を生成する接続方式生成手段として機能する。
【００７７】
第１の無線端末１００ａにおいて第２の接続情報が生成されると、接続仲介装置２００は、生成された第２の接続情報を、ＮＦＣ通信を介して第１の無線端末１００ａから取得する。すなわち、接続情報取得部２２５は、接続仲介装置２００が接続方式を送信するために第１の無線端末１００ａに近接した際に、第１の無線端末１００ａにおいて生成された第２の接続情報を取得する。
【００７８】
第２の接続情報を取得すると、接続仲介装置２００は、最初に接続情報を取得したときと同様に、取得した第２の接続情報を、第２の無線端末１００ｂ及び第３の無線端末１００ｃに送信する。これにより、第２の接続情報に基づいて、無線通信システム１における無線ＬＡＮの接続を確立させる。すなわち、図１１（ａ）に示すように、接続情報送信部２２６は、接続仲介装置２００が第２の無線端末１００ｂに対してＮＦＣの通信エリア内まで近接した際に、第２の接続情報を、ＮＦＣ通信を介して第２の無線端末１００ｂに送信し、接続仲介装置２００が第３の無線端末１００ｃに対してＮＦＣの通信エリア内まで近接した際に、第２の接続情報を、ＮＦＣ通信を介して第３の無線端末１００ｃに送信する。
【００７９】
第２の無線端末１００ｂ及び第３の無線端末１００ｃでは、それぞれ、ＮＦＣ通信部１２１が、ＣＰＵ１１０による制御のもと接続情報受信手段として機能し、ＮＦＣ通信を介して第２の接続情報を受信する。そして、無線制御部１３０は、無線通信部１３１を制御して、受信した第２の接続情報に基づいて、無線ＬＡＮを介した第１の無線端末１００ａとの接続を確立する。これにより、図１１（ｂ）に示すように、３つの無線端末１００ａ，１００ｂ，１００ｃの間で、第１の無線端末１００ａがＡＰとして機能し、第２の無線端末１００ｂ及び第３の無線端末１００ｃがクライアントとして機能する通信ネットワークが構築される。
【００８０】
以上説明したように、実施形態２に係る無線通信システム１では、接続仲介装置２００が、ＡＰとして機能する無線端末１００において一旦生成された接続情報における接続方式に、クライアントとして機能する無線端末１００が対応できないことが判明した場合、このクライアントとして機能する無線端末１００において対応可能な接続方式を取得し、ＡＰとして機能する無線端末１００に送信する。そして、ＡＰとして機能する無線端末１００から改めて接続情報を取得して、取得した接続情報によって、再度、３つの無線端末１００ａ，１００ｂ，１００ｃの間で、無線接続を確立し直す。その結果、無線通信の接続方式が異なる複数の無線端末１００間でも、ユーザが無線ＬＡＮの各種設定を意識することなく、無線接続を確立することができる。
【００８１】
（実施形態３）
次に、本発明の実施形態３について説明する。
【００８２】
上記実施形態２は、第３の無線端末１００ｃにおいて接続情報に定められた接続方式に対応できないことが判明した場合、ＡＰとして機能する第１の無線端末１００ａが、改めて接続情報を生成した。すなわち、ＡＰとして機能する端末は、第１の無線端末１００ａのまま変わらなかった。これに対して実施形態３に係る無線通信システム１では、接続情報に定められた接続方式に対応できないことが判明した無線端末１００が、新たにＡＰとして機能する。以下、説明する。
【００８３】
以下、実施形態２と同様に、３つの無線端末１００ａ，１００ｂ，１００ｃが、それぞれ図９（ａ）〜（ｃ）に示した接続方式に対応可能である場合であって、図１２（ａ）に示すように、第１の無線端末１００ａから取得した接続方式が、第３の無線端末１００ｃにおいて対応可能でない場合を例にとって、説明する。
【００８４】
第３の無線端末１００ｃにおいて、接続情報取得部２２５によって取得された接続情報において定められた接続方式が、第３の無線端末１００ｃにおいて対応可能な接続方式でない場合、第３の無線端末１００ｃは、自機が対応可能な接続方式を含む、無線ＬＡＮを介して第１の無線端末１００ａ及び第２の無線端末１００ｂが第３の無線端末１００ｃに接続するため情報を定めた第２の接続情報を生成する。このとき、第３の無線端末１００ｃの無線制御部１３０は、ＣＰＵ１１０による制御のもと、第２の接続情報を生成する第２の接続情報生成手段として機能する。
【００８５】
例えば図１２（ａ）に示すように、接続仲介装置２００は、接続情報を送信するために第３の無線端末１００ｃに対してＮＦＣの通信エリア内まで近接した際に、接続情報に定められる接続方式が、第３の無線端末１００ｃにおいて対応可能な接続方式であるか否かを判定する。判定の結果、接続情報に定められる接続方式が、第３の無線端末１００ｃにおいて対応可能な接続方式でない場合、接続仲介装置２００は、第３の無線端末１００ｃをＡＰとして機能させるべく、第３の無線端末１００ｃにおいて対応可能な接続方式で第２の接続情報を生成するように、第３の無線端末１００ｃに指示する。例えば接続情報に定められたセキュリティ方式がＷＰＡ２であって、第３の無線端末１００ｃがＷＰＡには対応しているがＷＰＡ２に対応していない場合、接続仲介装置２００は、第３の無線端末１００ｃに、第３の無線端末１００ｃにおいて対応可能なＷＰＡによるセキュリティ方式で第２の接続情報を生成するように、第３の無線端末１００ｃに指示する。
【００８６】
第３の無線端末１００ｃにおいて第２の接続情報が生成されると、接続仲介装置２００は、図１２（ｂ）に示すように、生成された第２の接続情報を、ＮＦＣ通信を介して第３の無線端末１００ｃから取得する。すなわち、接続情報取得部２２５は、接続仲介装置２００が接続情報を送信するために第３の無線端末１００ｃに近接した際に、第３の無線端末１００ｃにおいて生成された第２の接続情報を取得する。
【００８７】
第２の接続情報を取得すると、接続仲介装置２００は、取得した第２の接続情報を、第１の無線端末１００ａ及び第２の無線端末１００ｂに送信する。これにより、第２の接続情報に基づいて、無線通信システム１における無線ＬＡＮの接続を確立させる。すなわち、図１２（ｂ）に示すように、接続情報送信部２２６は、接続仲介装置２００が第１の無線端末１００ａに対してＮＦＣの通信エリア内まで近接した際に、第２の接続情報を、ＮＦＣ通信を介して第１の無線端末１００ａに送信し、接続仲介装置２００が第３の無線端末１００ｃに対してＮＦＣの通信エリア内まで近接した際に、第２の接続情報を、ＮＦＣ通信を介して第２の無線端末１００ｂに送信する。
【００８８】
第１の無線端末１００ａ及び第２の無線端末１００ｂでは、それぞれ、ＮＦＣ通信部１２１が、ＣＰＵ１１０による制御のもと第２の接続情報受信手段として機能し、ＮＦＣ通信を介して第２の接続情報を受信する。そして、無線制御部１３０は、無線通信部１３１を制御して、受信した第２の接続情報に基づいて、無線ＬＡＮを介した第３の無線端末１００ｃとの接続を確立する。これにより、図１３に示すように、３つの無線端末１００ａ，１００ｂ，１００ｃの間で、第３の無線端末１００ｃがＡＰとして機能し、第１の無線端末１００ａ及び第２の無線端末１００ｂがクライアントとして機能する通信ネットワークが構築される。
【００８９】
以上説明したように、実施形態３に係る無線通信システム１では、最初にＡＰに指定された無線端末１００において生成された接続情報における接続方式に、クライアントに指定された無線端末１００が対応できないことが判明した場合、このクライアントとして指定された無線端末１００が、新たにＡＰに変わる。そして、接続仲介装置２００は、新たにＡＰとなった無線端末１００から、この無線端末１００において対応可能な接続方式によって生成された第２の接続情報を取得し、取得した第２の接続情報によって、改めて、３つの無線端末１００ａ，１００ｂ，１００ｃの間で、無線接続を確立し直す。その結果、無線通信の接続方式が異なる複数の無線端末１００間において、実施形態２よりも少ない工程で、容易に無線接続を確立することができる。
【００９０】
（実施形態４）
次に、本発明の実施形態４について説明する。
【００９１】
上記実施形態３では、第３の無線端末１００ｃが新たにＡＰとなった場合、第２の接続情報として生成された第３の無線端末１００ｃにおいて対応可能な接続方式に、第１の無線端末１００ａ又は第２の無線端末１００ｂが対応できない状況も生じる。そこで、実施形態４では、接続仲介装置２００は、図１４に示すように、第１の無線端末１００ａ及び第２の無線端末１００ｂから、ＮＦＣ通信の際にそれぞれにおいて対応可能な複数の接続方式を予め取得する。そして、取得した複数の接続方式の中から第３の無線端末１００ｃにおいても対応可能な接続方式を選択することによって、３つの無線端末１００ａ，１００ｂ，１００ｃのいずれにおいても対応可能な接続方式によって第２の接続情報を、第３の無線端末１００ｃに生成させる。
【００９２】
具体的に説明すると、接続仲介装置２００において、接続情報取得部２２５は、ＮＦＣ通信を介して第１の無線端末１００ａから接続情報を取得する際に、第１の無線端末１００ａにおいて対応可能な複数の接続方式を、ＮＦＣ通信を介して第１の無線端末１００ａから取得する。例えば図９（ａ）に示したように、第１の無線端末１００ａにおいて３つの無線規格と４つのセキュリティ方式に対応可能である場合には、接続情報取得部２２５は、いずれか１つの接続方式を定めた接続情報を取得すると共に、第１の無線端末１００ａにおいて対応可能な複数の接続方式として、これら３つの無線規格と４つのセキュリティ方式を取得する。
【００９３】
さらに、接続情報取得部２２５は、ＮＦＣ通信を介して第２の無線端末１００ｂに接続情報を送信する際に、第２の無線端末１００ｂが対応可能な複数の接続方式を、ＮＦＣ通信を介して第２の無線端末１００ｂから取得する。例えば図９（ｂ）に示したように、第２の無線端末１００ｂにおいて、第１の無線端末１００ａと同じく３つの無線規格と４つのセキュリティ方式に対応可能である場合には、接続情報取得部２２５は、これら３つの無線規格と４つのセキュリティ方式を取得する。
【００９４】
そして、接続情報送信部２２６が接続情報を第３の無線端末１００ｃに送信した際において、送信した接続情報における接続方式に、第３の無線端末１００ｃにおいて対応できないことが判明した場合、接続仲介装置２００は、複数の接続方式の中から、第３の無線端末１００ｃにおいて対応可能な接続方式を選択する。例えば接続情報に定められたセキュリティ方式がＷＰＡ２であって、第３の無線端末１００ｃがＷＰＡには対応しているがＷＰＡ２に対応していない場合、接続仲介装置２００は、第１の無線端末１００ａと第２の無線端末１００ｂとにおいて対応可能なＯＰＥＮ、ＷＥＰ、ＷＰＡ、及びＷＰＡ２の４つのセキュリティ方式の中から、第３の無線端末１００ｃにおいても対応可能なＷＰＡを選択する。接続情報送信部２２６は、選択したセキュリティ方式を、ＮＦＣ通信を介して第３の無線端末１００ｃに送信する。
【００９５】
第３の無線端末１００ｃでは、接続仲介装置２００において選択されたセキュリティ方式をＮＦＣ通信部１２１が受信すると、無線制御部１３０が、ＣＰＵ１１０による制御のもと接続情報生成手段として機能し、選択された接続方式を定めた接続情報を、第２の接続情報として生成する。これにより、３つの無線端末１００ａ，１００ｂ，１００ｃのいずれにおいても対応可能な接続方式を定めた第２の接続情報が生成される。
【００９６】
第２の接続情報が生成された後の処理は、上記実施形態３における処理と同様である。すなわち、接続仲介装置２００は、図１２（ｂ）に示すように、生成された第２の接続情報を、ＮＦＣ通信を介して第３の無線端末１００ｃから取得する。第２の接続情報を取得すると、接続仲介装置２００は、図１２（ｂ）に示すように、取得した第２の接続情報を、第１の無線端末１００ａ及び第２の無線端末１００ｂに送信する。これにより、第２の接続情報に基づいて、無線通信システム１における無線ＬＡＮの接続を確立させる。その結果、図１３に示すように、３つの無線端末１００ａ，１００ｂ，１００ｃの間で、第３の無線端末１００ｃがＡＰとして機能し、第１の無線端末１００ａ及び第２の無線端末１００ｂがクライアントとして機能する通信ネットワークが構築される。
【００９７】
以上説明したように、実施形態４に係る無線通信システム１では、接続仲介装置２００が、最初にＡＰに指定された無線端末１００を含む、ＮＦＣによって通信する各無線端末１００から、各無線端末１００において対応可能な複数の接続方式を予め取得する。そして、接続情報に定められた接続方式に対応できない無線端末１００ｃがあった場合に、接続仲介装置２００は、取得した複数の接続方式の中から全ての無線端末１００間で対応可能な接続方式を選択することによって、全ての無線端末１００間で対応可能な接続方式を定めた第２の接続情報を取得する。その結果、無線通信の接続方式が異なる複数の無線端末１００間において、より確実に無線接続を確立することができる。
【００９８】
なお、上記実施形態２，３，４では、第３の無線端末１００ｃの接続方式が接続情報に定められた接続方式と一致しないため、第３の無線端末１００ｃが他の無線端末１００と無線接続できない例を説明した。しかし、無線接続できない端末は、第２の無線端末１００ｂであってもよいし、４つ以上の無線端末１００が存在する場合には、他の無線端末１００であってもよい。無線接続できない端末が第３の無線端末１００ｃ以外である場合についても、第３の無線端末１００ｃを第２の無線端末１００ｂ又は他の無線端末１００に置き換えることにより、上記と同様に説明することができる。
【００９９】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１００】
例えば、上記実施形態では、無線端末１００は、第１方式の無線通信として、無線ＬＡＮを介して他の無線端末１００と通信した。しかし、本発明では、無線端末１００は、例えばＢｌｕｅｔｏｏｔｈ（登録商標）、Ｚｉｇｂｅｅ（登録商標）、アドホックネットワーク等、他の規格の近距離型の無線通信を介して、他の無線端末１００と通信してもよい。この場合、接続仲介装置２００は、無線ＬＡＮ以外の無線通信のハンドオーバを、上述した処理と同様の処理によって仲介する。
【０１０１】
例えば、各無線端末１００がＢｌｕｅｔｏｏｔｈによる無線通信を介して他の無線端末１００と通信する場合、接続仲介装置２００における接続情報取得部２２５は、親機として機能すべき無線端末１００から、Ｂｌｕｅｔｏｏｔｈ通信を介して各無線端末１００が接続するための接続情報を、ＮＦＣ通信を介して取得する。具体的に、接続情報は、親機か子機かを示す無線モード、及びＢｌｕｅｔｏｏｔｈ通信において子機が親機を一意に識別するための識別子であるＩＤ等の情報である。接続情報送信部２２６は、取得したＢｌｕｅｔｏｏｔｈ通信の接続情報を、子機として機能すべき無線端末１００に、ＮＦＣ通信を介して送信する。これにより、接続情報送信部２２６は、各無線端末１００を、Ｂｌｕｅｔｏｏｔｈ通信を介して通信させる。
【０１０２】
また、上記実施形態では、接続仲介装置２００は、第２方式の無線通信として、ＮＦＣ通信を介して無線端末１００と通信した。しかし、本発明では、接続仲介装置２００は、例えばＦｅｌｉＣａ（登録商標）、ＭＩＦＡＲＥ（登録商標）等、他の規格の近接場型の無線通信又はＲＦＩＤ（Radio Frequency Identifier）による無線通信を介して、無線端末１００と通信してもよい。
【０１０３】
また、上記実施形態では、無線端末１００として、印刷装置を例にとって説明した。しかし、本発明では、無線端末は、印刷装置に限らない。無線端末は、第１方式の無線通信を介して複数台で無線ネットワークを構築し、第２方式の無線通信を介して接続仲介装置と通信できる機器であれば、例えばデジタルカメラ、ウェアラブル端末、及び一般的なコンピュータ端末等であってもよい。また、接続仲介装置も、スマートフォン等の携帯型の端末装置に限らず、複数の無線端末間の無線通信を仲介できるものであれば、他の形式の装置であってもよい。
【０１０４】
また、上記実施形態では、３つの無線端末１００ａ，１００ｂ，１００ｃは、いずれもＮＦＣタグ機能のみ有し、ＮＦＣリーダ／ライタ機能を有さなかった。そのため、無線端末１００同士のみではＮＦＣによるハンドオーバが不可能であるところ、接続仲介装置２００による仲介によって、ハンドオーバすることができた。しかし、本発明では、３つの無線端末１００ａ，１００ｂ，１００ｃのいずれか又は全ては、ＮＦＣリーダ／ライタ機能を有してもよい。すなわち、無線端末１００にＮＦＣリーダ／ライタ機能が備わっていたとしても、例えば無線端末１００が物理的に大きな装置である場合等、無線端末１００同士を近接させることができない又は難しい場合もある。そのような場合であっても、接続仲介装置２００が上述のようにハンドオーバの仲介をすることにより、容易にハンドオーバ可能になるとの効果が得られる。
【０１０５】
また、上記実施形態では、無線通信システム１は、３つの無線端末１００ａ，１００ｂ，１００ｃを備えていた。しかし、本発明では、無線端末１００の数は３つに限らず、２つであっても、４つ以上であってもよい。すなわち、本発明は、いずれか１つの無線端末１００がＡＰとして機能し、他の１以上の無線端末１００がクライアントとして機能する、複数の無線端末１００間における無線通信の接続を確立することに適用することができる。また、上記実施形態では、全て第１の無線端末１００ａを最初にＡＰに指定する場合を例にとって説明したが、他の無線端末１００を最初にＡＰに指定する場合についても、上記と同様に説明できる。
【０１０６】
また、上記実施形態では、無線端末１００及び接続仲介装置２００は、ＣＰＵを備えていた。しかし、本発明では、無線端末１００及び接続仲介装置２００は、ＣＰＵの代わりに、ＡＳＩＣ（Application Specific Integrated Circuit）等の専用の制御回路を備え、制御回路が装置全体を制御してもよい。
【０１０７】
なお、本発明に係る機能を実現するための構成を予め備えた接続仲介装置及び無線端末として提供できることはもとより、プログラムの適用により、既存の情報処理装置等を、本発明に係る接続仲介装置及び無線端末として機能させることもできる。すなわち、上記実施形態で例示した接続仲介装置２００及び無線端末１００による各機能構成を実現させるためのプログラムを、既存の情報処理装置等を制御するＣＰＵ等が実行できるように適用することで、本発明に係る接続仲介装置及び無線端末として機能させることができる。また、本発明に係る接続仲介方法は、接続仲介装置を用いて実施できる。
【０１０８】
また、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１０９】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【０１１０】
（付記１）
第１の無線端末と、第２の無線端末と、接続仲介装置と、を備える無線通信システムであって、
前記第１の無線端末は、
第１方式の無線通信を介して通信する第１の無線通信手段を備え、
前記接続仲介装置は、
前記接続仲介装置と前記第１の無線端末が第２方式の無線通信の通信エリア内に近接した際に、前記第１方式の無線通信を介して前記第２の無線端末と前記第１の無線端末が接続するための接続情報を、前記第２方式の無線通信を介して前記第１の無線端末から取得する接続情報取得手段と、
前記接続仲介装置と前記第２の無線端末が前記第２方式の無線通信の前記通信エリア内に近接した際に、前記接続情報取得手段によって取得された前記接続情報を、前記第２方式の無線通信を介して前記第２の無線端末に送信する接続情報送信手段と、を備え、
前記第２の無線端末は、
前記第２方式の無線通信を介して前記接続仲介装置から送信された前記接続情報を受信する接続情報受信手段と、
前記接続情報受信手段によって受信された前記接続情報に基づいて、前記第１方式の無線通信を介した前記第１の無線端末との接続を確立する第２の無線通信手段と、を備える、
ことを特徴とする無線通信システム。
【０１１１】
（付記２）
前記第１方式の無線通信は、近距離型の無線通信であり、
前記第２方式の無線通信は、前記通信エリアが前記第１方式の無線通信の通信エリアよりも狭い、近接場型の無線通信である、
ことを特徴とする付記１に記載の無線通信システム。
【０１１２】
（付記３）
前記第１方式の無線通信は、無線ＬＡＮ（Local Area Network）による通信であり、
前記第１の無線端末は、前記無線ＬＡＮにおけるアクセスポイントとして機能し、
前記第２の無線端末は、前記無線ＬＡＮにおけるクライアントとして機能する、
ことを特徴とする付記１又は２に記載の無線通信システム。
【０１１３】
（付記４）
前記第１の無線端末と前記第２の無線端末とはいずれも、前記第２方式の無線通信を介して情報を読み書きする機能を備えない、
ことを特徴とする付記１から３のいずれか１つに記載の無線通信システム。
【０１１４】
（付記５）
前記接続仲介装置は、
前記接続情報取得手段によって取得された前記接続情報において定められた接続方式が、前記第２の無線端末において対応可能な接続方式でない場合、前記第２の無線端末において対応可能な接続方式を、前記第２方式の無線通信を介して前記第２の無線端末から取得する接続方式取得手段と、
前記接続方式取得手段によって取得された前記対応可能な接続方式を、前記第２方式の無線通信を介して前記第１の無線端末に送信する接続方式送信手段と、をさらに備え、
前記第１の無線端末は、
前記第２方式の無線通信を介して前記接続仲介装置から送信された前記対応可能な接続方式を受信する接続方式受信手段と、
前記接続方法受信手段によって受信された前記対応可能な接続方式を定めた第２の接続情報を生成する接続情報生成手段と、をさらに備え、
前記接続仲介装置において、
前記接続情報取得手段は、前記接続仲介装置と前記第１の無線端末が前記第２方式の無線通信の前記通信エリア内に近接した際に、前記第２の接続情報を、前記第２方式の無線通信を介して前記第１の無線端末から取得し、
前記接続情報送信手段は、前記接続仲介装置と前記第２の無線端末が前記第２方式の無線通信の前記通信エリア内に近接した際に、前記接続情報取得手段によって取得された前記第２の接続情報を、前記第２方式の無線通信を介して前記第２の無線端末に送信し、
前記第２の無線端末において、
前記接続情報受信手段は、前記第２方式の無線通信を介して前記接続仲介装置から送信された前記第２の接続情報を受信し、
前記第２の無線通信手段は、前記接続情報受信手段によって受信された前記第２の接続情報に基づいて、前記第１方式の無線通信を介した前記第１の無線端末との接続を確立する、
ことを特徴とする付記１から４のいずれか１つに記載の無線通信システム。
【０１１５】
（付記６）
前記第２の無線端末は、
前記接続情報受信手段によって受信された前記接続情報において定められた接続方式が、前記第２の無線端末において対応可能な接続方式でない場合、前記第１方式の無線通信を介して前記第１の無線端末と前記第２の無線端末が接続するための第２の接続情報を生成する第２の接続情報生成手段をさらに備え、
前記接続仲介装置において、
前記接続情報取得手段は、前記第２の接続情報生成手段によって生成された前記第２の接続情報を、前記第２方式の無線通信を介して前記第２の無線端末から取得し、
前記接続情報送信手段は、前記接続情報取得手段によって取得された前記第２の接続情報を、前記第２方式の無線通信を介して前記第１の無線端末に送信し、
前記第１の無線端末は、
前記第２方式の無線通信を介して前記接続仲介装置から送信された前記第２の接続情報を受信する第２の接続情報受信手段をさらに備え、
前記第１の無線通信手段は、前記第２の接続情報に基づいて、前記第１方式の無線通信を介した前記第２の無線端末との接続を確立する、
ことを特徴とする付記１から４のいずれか１つに記載の無線通信システム。
【０１１６】
（付記７）
前記接続仲介装置において、
前記接続情報取得手段は、前記第２方式の無線通信を介して前記第１の無線端末から前記接続情報を取得する際に、前記第１の無線端末において対応可能な複数の接続方式を、前記第２方式の無線通信を介して前記第１の無線端末から取得し、
前記第２の無線端末において、
前記接続情報生成手段は、前記接続情報受信手段によって受信された前記接続情報において定められた接続方式が、前記第２の無線端末において対応可能な接続方式でない場合、前記複数の接続方式の中から選択された、前記第２の無線端末において対応可能な接続方式を定めた接続情報を、前記第２の接続情報として生成する、
ことを特徴とする付記６に記載の無線通信システム。
【０１１７】
（付記８）
自装置と第１の無線端末が第２方式の無線通信の通信エリア内に近接した際に、第１方式の無線通信を介して第２の無線端末と前記第１の無線端末が接続するための接続情報を、前記第２方式の無線通信を介して前記第１の無線端末から取得する接続情報取得手段と、
自装置と前記第２の無線端末が前記第２方式の無線通信の前記通信エリア内に近接した際に、前記接続情報取得手段によって取得された前記接続情報を、前記第２方式の無線通信を介して前記第２の無線端末に送信することにより、前記第２の無線端末に、前記第１方式の無線通信を介した前記第１の無線端末との接続を確立させる接続情報送信手段と、
を備えることを特徴とする接続仲介装置。
【０１１８】
（付記９）
接続仲介装置と第１の無線端末が第２方式の無線通信の通信エリア内に近接した際に、第１方式の無線通信を介して第２の無線端末と前記第１の無線端末が接続するための接続情報を、前記第２方式の無線通信を介して前記第１の無線端末から取得し、
前記接続仲介装置と前記第２の無線端末が前記第２方式の無線通信の前記通信エリア内に近接した際に、取得した前記接続情報を、前記第２方式の無線通信を介して前記第２の無線端末に送信することにより、前記第２の無線端末に、前記第１方式の無線通信を介した前記第１の無線端末との接続を確立させる、
ことを特徴とする接続仲介方法。
【０１１９】
（付記１０）
コンピュータに、
自装置と第１の無線端末が第２方式の無線通信の通信エリア内に近接した際に、第１方式の無線通信を介して第２の無線端末と前記第１の無線端末が接続するための接続情報を、前記第２方式の無線通信を介して前記第１の無線端末から取得させ、
自装置と前記第２の無線端末が前記第２方式の無線通信の前記通信エリア内に近接した際に、取得させた前記接続情報を、前記第２方式の無線通信を介して前記第２の無線端末に送信させることにより、前記第２の無線端末に、前記第１方式の無線通信を介した前記第１の無線端末との接続を確立させる、
ことを特徴とするプログラム。
【符号の説明】
【０１２０】
１…無線通信システム、１００ａ，１００ｂ，１００ｃ…無線端末、１１０，２１０…ＣＰＵ、１１１，２１１…メモリ、１２１，２２１…ＮＦＣ通信部、１２２，２２２…ＮＦＣアンテナ、１３０…無線制御部、１３１…無線通信部、１３２…無線アンテナ、１５０…印刷制御部、１５１…印刷部、２００…接続仲介装置、２１２…入力部、２１３…表示部、２２５…接続情報取得部、２２６…接続情報送信部
【図１】
0006520261.tif 000002
【図２】
0006520261.tif 000003
【図３】
0006520261.tif 000004
【図４】
0006520261.tif 000005
【図５】
0006520261.tif 000006
【図６】
0006520261.tif 000007
【図７】
0006520261.tif 000008
【図８】
0006520261.tif 000009
【図９】
0006520261.tif 000010
【図１０】
0006520261.tif 000011
【図１１】
0006520261.tif 000012
【図１２】
0006520261.tif 000013
【図１３】
0006520261.tif 000014
【図１４】
0006520261.tif 000015